(57)【特許請求の範囲】
【請求項１】
一対の挿入部が離間して形成されるとともに、この一対の挿入部間に渡ってバンド裏面側に開口する凹部を有するバンド本体と、
このバンド本体に対し前記一対の挿入部にバンド表面側から挿入された一対の挿入片を有する飾り部材と、
前記バンド本体の前記バンド裏面側から前記凹部において前記飾り部材の前記一対の挿入片間に掛け渡された棒部材と、
前記凹部内に収納され、前記棒部材の周囲のうち、少なくとも一部を覆う覆い部材と、
を備えたことを特徴とするバンド。
【請求項２】
バンド表裏方向に貫通する貫通部を有するバンド本体と、
このバンド本体の前記貫通部内に挿入され、一端部が前記バンド本体の一端側で係合し、他端部が前記バンド本体の他端側で係合された飾り部材とを備え、
前記バンド本体は前記貫通部とは別な位置に補助貫通部を有し、前記飾り部材は他端側に係合部を有し、この係合部は前記補助貫通部と係合していることを特徴とするバンド。
【請求項３】
バンド表裏方向に貫通する貫通部を有するバンド本体と、
このバンド本体の前記貫通部内に挿入され、一端部が前記バンド本体の一端側で係合し、他端部が前記バンド本体の他端側で係合された飾り部材とを備え、
前記飾り部材は他端側に係合部を有し、前記貫通部のバンド裏面側には係合凹部又は係合凸部が形成され、前記係合部は前記係合凹部又は係合凸部に係合されたことを特徴とするバンド。
【請求項４】
本体ケースと、
この本体ケースに取付けられるとともに覆い部が形成されたバンドとを備え、
前記本体ケースの一部が前記覆い部によって覆われていることを特徴とするリスト装置。
【請求項５】
本体ケースと、
この本体ケースに取付けられたバンド本体、このバンド本体に取付けられるとともに覆い部が形成された飾り部材を有するバンドとを備え、
前記本体ケースの一部が前記覆い部によって覆われていることを特徴とするリスト装置。
【請求項６】
前記飾り部材は、前記バンド本体に対してほぼ面一となっていることを特徴とする請求項５記載のリスト装置。
【請求項７】
前記バンド本体に形成された凸部を、前記飾り部材に形成された凹部又は孔部に嵌入することで、前記飾り部材が前記バンド本体に対して位置決めされていることを特徴とする請求項５又は６記載のリスト装置。
【請求項８】
前記バンド本体に前記飾り部材を取り付けた状態での、前記バンド本体の前記凸部に対応する部分の撓み易さを、該部分の周辺の撓み易さと略同一に設定したことを特徴とする請求項７記載のリスト装置。
【請求項９】
前記バンド本体と前記飾り部材との色が異なることを特徴とする請求項５、６、７又は８記載のリスト装置。
【請求項１０】
前記覆い部が、該覆い部の周囲の部分とほぼ面一となっていることを特徴とする請求項４から請求項９のいずれかに記載のリスト装置。
【発明の詳細な説明】
【０００１】
【発明の属する技術分野】
本発明は、腕時計、コンパス、水深計などに使用して有用なバンド、および、腕時計、コンパス、水深計などのバンドを備え、手首に装着されるリスト装置に関するものである。
【０００２】
【従来の技術】
腕時計バンドとして、近年、多種の材質の部材を組み合わせた複合材によるものが出回っており、例えば、軟質合成樹脂とナイロン等の繊維を組み合わせたもの、軟質合成樹脂と金属を組み合わせたもの等がある。
そして、軟質合成樹脂と金属との組み合わせの場合、金属部品を成形型内にセットしたまま樹脂を充填して成形するメタルインサート成形が一般的である。
また、軟質合成樹脂製のバンド本体に金属部品を両面接着テープ等で固定した時計バンドもある。
なお、最近では、色の異なる軟質合成樹脂を組み合わせた時計バンドもあり、例えば、バンド本体に形成した穴部に下面から飾り駒を圧入したり、また、ループ状の飾り部材にバンド本体を通し、そのループ状の飾り部材の突片部に設けた爪を、バンド本体に形成した溝に挿入した構造のものがある。
【０００３】
また、従来、腕時計、コンパス、水深計などのバンドを備え、手首に装着されるリスト装置として、バンドやバンドに取付けられる飾り部材によって、本体ケースの一部を覆うことにより、本体ケースとバンドとの一体感を高めたデザインのものはなかった。
【０００４】
【発明が解決しようとする課題】
しかし、メタルインサート成形の時計バンドの場合、金属部品を金型内に挟み込み固定して成形するため、例えば、アルマイト等、金属部に表面処理を施した金属を使用すると、その表面処理層にクラックが入る等の不具合があった。
また、軟質合成樹脂製のバンド本体に金属部品を両面接着テープ等で固定した時計バンドの場合、軟質合成樹脂として主に用いられるウレタンは接着され難く、その上、時計バンドがひねられた際には、金属部品が簡単に剥がれ落ちてしまう不具合もあった。
そして、色の異なる軟質合成樹脂を組み合わせた時計バンドの場合には、バンド本体の穴部と飾り駒との間に隙間が生じたり、飾り駒が外れる懸念もあり、また、溝から爪が抜けて飾り部材（特に、その突片部）がバンド本体からめくれ上がったりする等、見栄えが悪くなり、一体感が得られないものであった。
【０００５】
本発明の課題は、軟質合成樹脂製のバンド本体に金属製や軟質合成樹脂製の飾り部材を組み合わせるバンドにおいて、比較的簡易な構造でバンド本体に飾り部材を確実に組み付けられ、金属製の飾り部材の場合は、メタルインサート成形によらずに確実な組付状態に保持し、また、軟質合成樹脂製の飾り部材の場合には、隙間やめくれ上がりのない二色成形風のような一体感が得られて、見栄えを良くすることである。
また、バンドやバンドに取付けられる飾り部材によって、本体ケースの一部を覆うことにより、リスト装置のデザインを、本体ケースとバンドとの一体感を高めたものにし、見栄えを良くすることである。
【０００６】
【課題を解決するための手段】
以上の課題を解決すべく請求項１記載の発明は、バンド（１）であって、一対の挿入部（例えば挿入孔２３）が形成されるとともに、この一対の挿入部間に渡ってバンド裏面側に開口する凹部（２４）を有するバンド本体（２）と、このバンド本体に対し前記一対の挿入部にバンド表面側から挿入された一対の挿入片（４２）を有する飾り部材（４）と、前記バンド本体の前記バンド裏面側から前記凹部において前記飾り部材の前記一対の挿入片間に掛け渡された棒部材（８）と、前記凹部（２４）内に収納され、前記棒部材（８）の周囲のうち、少なくとも一部を覆う覆い部材（９）とを備えた構成を特徴としている。例えば、覆い部材としては、硬質合成樹脂製が挙げられる。
例えば、バンド本体の時計ケースに対する取付部近傍に飾り部材が備えられる。バンド本体としては、例えば、軟質合成樹脂製が挙げられる。飾り部材としては、例えば、金属製が挙げられる。棒部材としては、例えば、バネ棒が挙げられる。一対の挿入部としては、例えば、バンド幅方向に離間するものが挙げられるが、その他でも例えば、バンドの長手方向に離間するものなど、形成される位置は適宜変更可能である。また、一対の挿入部はバンド表裏に貫通する挿通孔でも良いし、貫通しない凹部でも良い。
【０００７】
このように、請求項１記載の発明によれば、バンド本体に形成された挿入部に、バンド表面側から、飾り部材の一対の挿入片を挿入する一方、バンド本体の一対の挿入孔間に渡ってバンド裏面側に開口する凹部において一対の挿入片間に棒部材を掛け渡したバンドであり、バンド本体に飾り部材の一対の挿入片を貫通して、その一対の挿入片間にバンド裏面側の凹部で棒部材を掛け渡すだけなので、比較的簡易な構造をもって、バンド本体に飾り部材を確実に組み付けできる。このために、バンド本体と飾り部材とを、メタルインサート成形によらずに確実な組付状態に保持でき、バンドとして見栄えが良くなる。
【０００９】
また、請求項１記載の発明によれば、棒部材の周囲のうち、少なくとも一部を覆う覆い部材を前記凹部内に収納したバンドなので、バンド裏面側の凹部内の棒部材の少なくとも一部を覆い部材により隠せる。
【００１８】
また、請求項２記載の発明は、バンド（３１，６１）であって、バンド表裏方向に貫通する貫通部（３２３，６２３）を有するバンド本体（３２，６２）と、このバンド本体の前記貫通部内に挿入され、一端部が前記バンド本体の一端側で係合し、他端部が前記バンド本体の他端側で係合された飾り部材（３４，６４）とを備え、前記バンド本体（３２）は前記貫通部（３２３）とは別な位置に補助貫通部（３２６）を有し、前記飾り部材（３４）は他端側に係合部（３４８）を有し、この係合部は前記補助貫通部と係合している構成を特徴としている。
【００１９】
このように、請求項２記載の発明によれば、バンド本体のバンド表裏方向の貫通部内に挿入した飾り部材が、一端部でバンド本体の一端側に係合し、他端部でバンド本体の他端側に係合したバンドであり、バンド本体の貫通穴に対し飾り部材を挿入して一端部と他端部で係合するだけなので、比較的簡易な構造をもって、バンド本体に飾り部材を確実に組み付けできる。こうして、バンド本体に飾り部材を備えながら、例えば、隙間やめくれ上がりのない二色成形風のような一体感が得られて、バンドとして見栄えが良くなる。
【００２１】
また、請求項２記載の発明によれば、バンド本体は、貫通部とは別な位置の補助貫通部において飾り部材の他端側の係合部を係合しているので、飾り部材の隙間発生またはめくれ上がりを確実に防止できる。
【００２２】
請求項３記載の発明は、バンド（３１，６１）であって、バンド表裏方向に貫通する貫通部（３２３，６２３）を有するバンド本体（３２，６２）と、このバンド本体の前記貫通部内に挿入され、一端部が前記バンド本体の一端側で係合し、他端部が前記バンド本体の他端側で係合された飾り部材（３４，６４）とを備え、前記飾り部材（６４）は他端側に係合部（６４４）を有し、前記貫通部（６２３）のバンド裏面側には係合凹部又は係合凸部（例えば係合凹部６２４）が形成され、前記係合部は前記係合凹部又は係合凸部に係合された構成、を特徴としている。
【００２３】
このように、請求項３記載の発明によれば、バンド本体は、貫通部のバンド裏面側に形成された係合凹部又は係合凸部に、飾り部材の他端側の係合部を係合しているので、バンド本体の貫通部のバンド裏面側の係合凹部又は係合凸部において、貫通部にバンド表面側から挿入した飾り部材の係合部を係合して、飾り部材の隙間発生やめくれ上がりを確実に防止できる。
【００２４】
請求項４記載の発明は、リスト装置（例えば腕時計２００）であって、本体ケース（２０１）と、この本体ケースに取付けられるとともに覆い部（例えば、飾り部材２３０に形成された覆い部３１０、およびバンド本体２１０，２２０に形成された覆い部２８１，２８１）が形成されたバンド（２６０，２７０：例えばバンドはバンド本体２１０，２２０に飾り部材２３０，２３０が取付けられたものである）と、を備え、前記本体ケースの一部が前記覆い部によって覆われていること、を特徴としている。
【００２５】
リスト装置としては、腕時計、コンパス、水深計などのバンドを備え、手首に装着して用いる装置をすべて含むものとする。
本体ケースの裏側には、裏蓋が取付けられていることがあるが、覆い部と本体ケースの間に裏蓋が介在した状態で、覆い部が本体ケースを覆うこととしても良い。
【００２６】
請求項４記載の発明によれば、本体ケースの一部が、バンドに形成された覆い部によって覆われているので、バンドの本体ケースに対する取り付け部分に生じる間隙を覆い部によって覆い隠すことができる。従って、本体ケースとバンドとの繋ぎ目を意識させず、本体ケースとバンドとの一体性が高いデザインのリスト装置とすることができ、リスト装置の一体感を得ることができる。
【００２７】
請求項５記載の発明は、リスト装置（例えば腕時計２００）であって、本体ケース（２０１）と、この本体ケースに取付けられたバンド本体（２１０，２２０）と、このバンド本体に取付けられるとともに覆い部（３１０，３１０）が形成された飾り部材（２３０，２３０）と、を備えたバンドと、を備え、前記本体ケースの一部が前記覆い部によって覆われていること、を特徴としている。
【００２８】
請求項５記載の発明では請求項４記載の発明と同様に、リスト装置としては、腕時計、コンパス、水深計などのバンドを備え、手首に装着して用いる装置をすべて含むものとする。また同様に、本体ケースの裏側には、裏蓋が取付けられていることがあるが、覆い部と本体ケースの間に裏蓋が介在した状態で、覆い部が本体ケースを覆うこととしても良い。飾り部材とは、例えば、バンド本体の胴回りに外挿されることでバンド本体の周囲に取付けられる可撓性の材質により形成されたものや、バンド本体の片面あるいは両面に対して、接着・溶着等により固定されたものであっても良い。
【００２９】
請求項５記載の発明によれば、バンド本体には飾り部材が取り付けられているため、飾り部材によりバンド本体を装飾することができるとともに、この飾り部材に形成された覆い部が本体ケースの一部を覆っているので、バンド本体の本体ケースに対する取り付け部分に生じる間隙を覆い部によって覆い隠すことができる。従って、本体ケースとバンド本体との繋ぎ目を意識させず、本体ケースとバンド本体との一体性が高いデザインのリスト装置とすることができる。よって、リスト装置の一体感を得ることができる。
【００３０】
請求項６記載の発明は、請求項５記載の発明であって、前記飾り部材（２３０）は、前記バンド本体（２１０，２２０）に対してほぼ面一となっていること、を特徴としている。
【００３１】
飾り部材をバンド本体に対してほぼ面一とするためには、飾り部材がバンド本体の胴回りに外挿されることでバンド本体の周囲に取付けられる可撓性の材質により形成されたものの場合には、バンド本体のうち、飾り部材が取り付けられる取付部を、飾り部材の厚み分だけ、他の部分より薄く（細く）形成することが挙げられる。
また、飾り部材がバンド本体の片面あるいは両面に対して、接着・溶着等により固定されたものの場合に、飾り部材をバンド本体に対してほぼ面一とするためには、バンド本体のうち飾り部材が取り付けられる取付部を、飾り部材の厚み分だけ他の部分より薄く形成するか、又は取付部を凹部とすることが挙げられる。
【００３２】
請求項６記載の発明によれば、前記飾り部材は、前記バンド本体に対してほぼ面一となっているので、飾り部材のバンド本体に対する一体感を増すことができる。また、飾り部材がバンド本体にフィットした構造とすることができ、飾り部材のバンド本体からのめくれあがりを防止できる。
【００３３】
請求項７記載の発明は、請求項５又は６記載のリスト装置であって、前記バンド本体（２１０，２２０）に形成された凸部（２９０，２９０）を、前記飾り部材（２３０，２３０）に形成された凹部又は孔部（例えば取付孔部３００，３００）に嵌入することで、前記飾り部材が前記バンド本体に対して位置決めされていること、を特徴としている。
【００３４】
請求項７記載の発明によれば、バンド本体に形成された凸部を飾り部材に形成された凹部又は孔部に嵌入することで、飾り部材がバンド本体に対して位置決めされているので、飾り部材のバンド本体に対するズレやガタツキを好適に防止することができる。
【００３５】
請求項８記載の発明は、請求項７記載のリスト装置であって、前記バンド本体（２１０，２２０）に前記飾り部材（２３０，２３０）を取り付けた状態での、前記バンド本体の前記凸部（２９０，２９０）に対応する部分の撓み易さを、該部分の周辺の撓み易さと略同一に設定したこと、を特徴としている。
【００３６】
バンド本体に対して外挿することでバンド本体に取付けられる飾り部材の場合、飾り部材を取り付けやすいように、飾り部材はバンド本体に比べて、より柔軟に撓ませることができる材質からなっている可能性がある。この場合に、請求項７記載の要領で、飾り部材をバンド本体に取付け、さらにこのとき飾り部材がバンド本体に対してほぼ面一となるようにしても、凸部に対応する部分は、飾り部材よりも堅い材質のバンド本体の肉厚が厚いため、他の部分に比べて撓みにくくなる。従って、バンド（バンド本体に飾り部材を取り付けたもの）によりリスト装置を手首に装着したときの装着感に違和感が生じる可能性がある。バンドによるリスト装置の、より快適な装着感を得るためには、凸部に対応する部分の撓み易さを、該部分の周辺の撓み易さと略同一する必要がある。凸部に対応する部分の撓み易さを、該部分の周辺の撓み易さと略同一するためには、例えば、バンド本体の凸部の裏側に凹部を設けて、凸部に対応する部分のバンド本体の肉厚を薄く設定することが挙げられる。
【００３７】
請求項８記載の発明によれば、バンド本体に飾り部材を取り付けた状態での、バンド本体の凸部に対応する部分の撓み易さを、該部分の周辺の撓み易さと略同一に設定したので、違和感なくバンドによりリスト装置を手首に装着することができ、バンドによるリスト装置の装着感を快適なものにすることができる。
【００３８】
請求項９記載の発明は、請求項５、６、７又は８記載のリスト装置であって、前記バンド本体（２１０，２２０）と前記飾り部材（２３０，２３０）との色が異なること、を特徴としている。
【００３９】
請求項９記載の発明によれば、バンド本体と、飾り部材との色が異なるので、バンド本体と飾り部材とが２色成型されたようなデザインとすることができる。
【００４０】
請求項１０記載の発明は、請求項４から９のいずれかに記載のリスト装置であって、前記覆い部（３１０，３１０）が、該覆い部の周囲の部分と、ほぼ面一となっていること、を特徴としている。
【００４１】
請求項１０記載の発明によれば、覆い部が、覆い部の周囲の部分とほぼ面一となっているので、覆い部と、覆い部の周囲の部分との境界を意識させないデザインとすることができる。従って、バンド又はバンド本体と本体ケースとの一体性を、より高めることができ、リスト装置の、より高い一体感を得ることができる。
【００４２】
【発明の実施の形態】
以下に、本発明に係るバンドの実施の各形態例を図１から図２６に基づいて説明する。
【００４３】
＜第１の実施の形態例＞
先ず、図１は本発明を適用した一例としての時計バンドの半体を示す平面図で、図２はその半体と組み合わされる他の半体を示した平面図である。
即ち、図１に示す時計バンドの半体１Ａは、軟質合成樹脂製のバンド本体２がナイロン等の繊維３を囲んで一体成形してなるものであり、バンド本体２の図示しない時計ケースに対する取付ボス２ａを備える幅広の取付部２ｂの表面に金属製で板状の飾り部材４が組み付けられている。
そして、バンド本体２の取付部２ｂと反対側の端部には、留め具５ａを有するバックル５が取り付けられて、バンド本体２の中間ｂにはループ６が装着されている。
【００４４】
また、図２に示す時計バンドの半体１Ｂは、図１の半体１Ａと組み合わせて使用されるもので、同様に、軟質合成樹脂製のバンド本体２が繊維３を囲んで一体成形してなり、バンド本体２の取付ボス２ａを備える幅広の取付部２ｂの表面に金属製で板状の飾り部材４が組み付けられている。
なお、バンド本体２により囲まれた繊維３には、多数の止め穴７，７，７，…が形成されている。
【００４５】
次に、バンド本体２に対する金属製で板状の飾り部材４の組付方について説明するが、以下では、前述した半体１Ａ及び半体１Ｂの何れも時計バンド１とする。
図３は本発明を適用した第１の実施の形態例を示すもので、図１及び図２の矢印Ａ−Ａ線に沿って拡大して示した断面図であり、図４はその構造部の部品を分解して示した斜視図である。また、図５は棒部材（バネ棒）の内部構造を示した中央断面図である。
これらの図３から図５において、前述と同様に、１は時計バンド、２は軟質合成樹脂製のバンド本体、２ｂは時計ケース側への取付部、４は金属製で板状の飾り部材であって、２１は表面側凹部、２２は周縁挿入溝、２３は一対の挿入孔、２４は裏面側凹部、２５は隔壁部、４１は周縁部、４２は一対の挿入片、４３は小穴、８は棒部材、８ａは突部、８ｂは円筒部、８ｃは圧縮コイルバネ、９は覆い部材、９ａは貫通部である。
【００４６】
即ち、この実施の形態例では、軟質合成樹脂製のバンド本体２の時計ケース側への取付部２ｂの近傍において、図示のように、横長の略方形をなす表面側凹部２１と、この表面側凹部２１の周囲の周縁挿入溝２２と、この周縁挿入溝２２のバンド幅方向に離間してバンド表裏方向に貫通する一対の挿入孔（挿入部）２３，２３と、横に細長い裏面側凹部２４とを形成している。なお、表面側凹部２１と裏面側凹部２４との間には隔壁部２５が存在している。
そして、金属製で板状の飾り部材４は、バンド本体２の表面側凹部２１に丁度納まるよう横長の略方形をなすもので、その全周の下方に折り曲げた周縁部４１と、この周縁部４１の左右から下方に突出する一対の挿入片４２，４２とを有している。なお、挿入片４２には、小穴４３が形成されている。
【００４７】
さらに、突部８ａ，８ａを円筒部８ｂの両端部に組み付けて、円筒部８ｂ内に両端部の突部８ａ，８ａを常時突出方向に付勢する圧縮コイルバネ８ｃを内蔵したバネ棒による棒部材８が用意されるとともに、この棒部材８を挿入する貫通部９ａを有する角柱状の覆い部材９が用意される。
ここで、バネ棒による棒部材８は、飾り部材４の一対の挿入片４２，４２の両小穴４３，４３に突部８ａ，８ａがそれぞれ挿入されるものである。
また、覆い部材９は、硬質合成樹脂製のもので、バンド本体２の横に細長い裏面側凹部２４に丁度納まる角柱状をなしている。
【００４８】
以上の部品は、図４に矢印を付して示したように、バンド本体２に対し飾り部材４を表面側から、周縁挿入溝２２に周縁部４１を挿入するとともに、挿入孔２３，２３に挿入片４２，４２をそれぞれ挿入して、表面側凹部２１に飾り部材４の板面部を重ねる。
そして、同じく図４に矢印を付して示したように、角柱状の覆い部材９の貫通部９ａに挿入したバネ棒による棒部材８の両端部の突部８ａ，８ａを、バンド本体２に対し裏面側凹部２４において、飾り部材４の挿入片４２，４２の小穴４３，４３にそれぞれ挿入する。この時、バンド本体２の横に細長い裏面側凹部２４に角柱状の覆い部材９が丁度納まる。
【００４９】
以上の通り、軟質合成樹脂製のバンド本体２に対し金属製の飾り部材４を、従来のようなメタルインサート成形によることなく、バネ棒による棒部材８で組み付けたことにより、金属製の飾り部材４をその表面処理への影響なくバンド本体２に確実に組み込める。
従って、金属製の飾り部材４として、デザイン上の自由度を高められる。
また、棒部材（バネ棒）８を角柱状の覆い部材９で覆って、この角柱状の覆い部材９をバンド本体２の裏面側凹部２４に収納したことにより、バンド裏面側から棒部材８が見え難く、例えば、棒部材（バネ棒）８が腐食したとしても、外観上、目立たないものとなっている。
【００５０】
＜変形例＞
図６は棒部材８及び覆い部材９の変形例を示した斜視図であり、この変形例では、図示のように、硬質合成樹脂製の覆い部材９をその中心に金属製のバネ棒による棒部材８を埋設した一体成形（メタルインサート成形）により角柱状に形成したものである。
このように、金属製の棒部材（バネ棒）８を硬質合成樹脂製の覆い部材９にインサート成形したものを用いても良い。
【００５１】
なお、上記の第１の実施の形態例、およびその変形例では、一対の挿入部としてバンドを表裏に貫通する一対の挿入孔２３，２３を例示したが、一対の挿入部はバンドに形成された一対の凹部であってもよい。また、一対の挿入部（挿入孔２３，２３）がバンドの幅方向に離間して形成されたこととしたが、例えば、一対の挿入部がバンドの長手方向に離間して形成されるなど、一対の挿入部の互いの位置関係は適宜変更可能である。
【００５２】
＜第２の実施の形態例＞
図７は本発明を適用した第２の実施の形態例を示すもので、図１及び図２の矢印Ａ−Ａ線に沿って拡大して示した断面図であり、図８はその構造部の部品を分解して示した斜視図である。
これらの図７及び図８において、前述した第１の実施の形態例と同様に、１は時計バンド、２は軟質合成樹脂製のバンド本体、２ｂは時計ケース側への取付部、２１は表面側凹部、２２は周縁挿入溝、２３は一対の挿入孔、２４は裏面側凹部、２５は隔壁部、４は金属製で板状の飾り部材、４１は周縁部、４２は一対の挿入片、４３は小穴、８は棒部材、８ａは突部であって、１０は覆い部材、１０ａは端部屈曲片、１０ｂは係合部（切欠リング状部）である。
【００５３】
この第２の実施の形態例は、主に覆い部材１０の構成について、第１の実施の形態例と相違するものであるため、以下では、相違点に絞って説明する。
即ち、覆い部材１０は、図示のように、横に細長い板状のもので、その両端部の端部屈曲片１０ａ，１０ａと、中間部の係合部である側面視Ｃ形状をなす左右一対の切欠リング状部１０ｂ，１０ｂと、を一体形成してなる軟質合成樹脂製のものである。
なお、この細長い板状の覆い部材１０の両端部の端部屈曲片１０ａ，１０ａ間の長さは、バネ棒による棒部材８の両端部の突部８ａ，８ａを含む長さよりも長く設定されている。
また、バンド本体２の裏面側凹部２４については、図示のように、第１の実施の形態例（図３参照）よりも横に長いものとなっている。
【００５４】
以上のような覆い部材１０を用いる場合は、先ず、バネ棒による棒部材８の両端部の突部８ａ，８ａを、バンド本体２の裏面側凹部２４において、飾り部材４の挿入片４２，４２の小穴４３，４３にそれぞれ挿入する。
その後、バンド本体２の裏面側凹部２４において、図８に矢印を付して示したように、細長い板状の覆い部材１０の左右一対の切欠リング状部１０ｂ，１０ｂを、バネ棒による棒部材８の周囲にそれぞれ填め付ける。
これにより、裏面側凹部２４に細長い板状の覆い部材１０が両端部の端部屈曲片１０ａ，１０ａごと丁度納まる。
【００５５】
＜第３の実施の形態例＞
図９は本発明を適用した第３の実施の形態例を示すもので、図１及び図２の矢印Ａ−Ａ線に沿って拡大して示した断面図であり、図１０はその構造部の部品を分解して示した斜視図である。
これらの図９及び図１０において、前述した第１の実施の形態例と同様に、１は時計バンド、２は軟質合成樹脂製のバンド本体、２ｂは時計ケース側への取付部、２１は表面側凹部、２２は周縁挿入溝、２３は一対の挿入孔、２４は裏面側凹部、２５は隔壁部、４は金属製で板状の飾り部材、４１は周縁部、４２は一対の挿入片、４３は小穴、８は棒部材、８ａは突部であって、１１は覆い部材、１１ａはスリットである。
【００５６】
この第２の実施の形態例は、主に覆い部材１１の構成について、第１の実施の形態例と相違するものであるため、以下では、相違点に絞って説明する。
即ち、覆い部材１１は、図示のように、横に細長い円筒状のもので、その長さ方向に沿ってスリット１０ａが形成された軟質合成樹脂製のものである。
【００５７】
このような覆い部材１１を用いる場合は、前述した第２の実施の形態例と同様に、先ず、バネ棒による棒部材８の両端部の突部８ａ，８ａを、バンド本体２の裏面側凹部２４において、飾り部材４の挿入片４２，４２の小穴４３，４３にそれぞれ挿入する。
その後、バンド本体２の裏面側凹部２４において、図１０に矢印を付して示したように、細長い円筒状の覆い部材１１をそのスリット１０ａの部分で押して開くことにより、バネ棒による棒部材８の周囲に填め付ける。
これにより、裏面側凹部２４に細長い円筒状の覆い部材１１が丁度納まる。
【００５８】
＜第４の実施の形態例＞
図１１は本発明を適用した第４の実施の形態例を示すもので、図１及び図２の矢印Ａ−Ａ線に沿って拡大して示した断面図であり、図１２はその構造部の部品を分解して示した斜視図である。
これらの図１１及び図１２において、前述した第１の実施の形態例と同様に、１は時計バンド、２は軟質合成樹脂製のバンド本体、２ｂは時計ケース側への取付部、２１は表面側凹部、２２は周縁挿入溝、４は金属製で板状の飾り部材、４１は周縁部であって、１２は両面接着テープ、１３は保持部材、１３ａはフランジ部、２６は貫通部、２７は裏面側凹部である。
【００５９】
この第４の実施の形態例では、図示のように、バンド本体２（取付部２ｂ）に、表面側凹部２１及びその周縁挿入溝２２に加えて、その表面側凹部２１においてバンド表裏方向に貫通する方形の貫通部２６と、バンド裏面側において貫通部２６を囲む方形の裏面側凹部２７とを形成している。
なお、第１から第３の実施の形態例のような挿入孔２３、横に細長い裏面側凹部２４及び隔壁部２５は設けていない。また、棒部材８及び覆い部材９，１０，１１も使用しない。
また、飾り部材４は、周縁部４１に挿入片４２を有していない。
【００６０】
そして、バンド本体２の表面側凹部２１の底面に対応する大きさの両面接着テープ１２と、バンド本体２の貫通部２６に対応する大きさでブロック状をなす保持部材１３とが用意される。
この保持部材１３は、硬質合成樹脂製のもので、貫通部２６に対応するブロック状部の下部周囲に、方形の裏面側凹部２７に対応する形状のフランジ部１３ａを有している。
【００６１】
以上のような部品は、先ず、飾り部材４の板面部下面に両面接着テープ１２を貼り付けておいてから、図１２に矢印を付して示したように、バンド本体２に対し飾り部材４を表面側から、周縁挿入溝２２に周縁部４１を挿入して、表面側凹部２１に飾り部材４の板面部を重ねる。この時、貫通部２６の周囲において、両面接着テープ１２の周縁部が表面側凹部２１の底面に貼り付く。
そして、ブロック状の保持部材１３を、同じく図１２に矢印を付して示したように、バンド本体２の裏面側から、その貫通部２６にブロック状部を填め込むと同時に、裏面側凹部２７にフランジ部１３ａを填め込む。この時、保持部材１３のブロック状部の上面が両面接着テープ１２に貼り付く。
【００６２】
以上の通り、軟質合成樹脂製のバンド本体２に対し金属製の飾り部材４を、両面接着テープ１２を介し硬質合成樹脂製の保持部材１３と接着して組み付けたことにより、金属製の飾り部材４との間に安定した接着力を確保できる。
また、互いに接着される飾り部材４と保持部材１３とが、金属と硬質合成樹脂による剛体同士であり、バンド本体２の折り曲げやひねり等の力に対しても変形が少なくて有利である。
【００６３】
＜変形例＞
図１３は図１１の構造部の変形例（１）を示した断面図であり、この変形例では、図示のように、硬質合成樹脂製の保持部材１３を裏面側部材１４と表面側部材１５との上下二分割体により構成したものである。
即ち、裏面側部材１４は、貫通部２６の略下半部に対応する形状部の下部周囲に、方形の裏面側凹部２７に対応する形状のフランジ部１４ａを有している。
また、表面側部材１５は、貫通部２６の略上半部に対応する形状部の周囲に、表面側凹部２１における周縁挿入溝２２と貫通部２６との間に形成した内方挿入溝２８に対応する下方に突出した形状の周縁部１５ａを有している。
【００６４】
以上の部品において、先ず、飾り部材４の板面部下面に両面接着テープ１２を介して保持部材１３の表面側部材１５を貼り付けておく。
そして、この表面側部材１５が下部に一体に備えられた飾り部材４をバンド本体２に対し表面側から、貫通部２６に表面側部材１５を填め込むと同時に、その周縁部１５ａを内方挿入溝２８に、さらに、その外側の周縁挿入溝２２に飾り部材４の周縁部４１をそれぞれ挿入する。
また、バンド本体２の裏面側から、その貫通部２６に保持部材１３の裏面側部材１４を填め込むと同時に、そのフランジ部１４ａを裏面側凹部２７に填め込む。
その後、保持部材１３をなす裏面側部材１４及び表面側部材１５の互いの密着面を超音波溶着により接合して固定する。
【００６５】
こうすれば、硬質合成樹脂製の保持部材１３を構成する分割体による裏面側部材１４と表面側部材１５とで、貫通部２６の周囲において、バンド本体２を挟み込むことができ、バンド本体２の折り曲げやひねり等の力が金属製の飾り部材４に伝わり難くなるため、飾り部材４のより安定した固定力を保持できる。
【００６６】
図１４は図１１の構造部の変形例（１）を示した断面図であり、この変形例では、図示のように、貫通穴２６において、ともに硬質合成樹脂製の飾り部材１０４と保持部材１１４とを溶着により一体化したものである。
即ち、飾り部材１０４は、表面側凹部２１に対応する形状部の下面に、貫通部２６の略上半部に対応する形状部を一体に有するとともに、このような貫通部２６の略上半部に対応する形状部の外周に離間して、表面側凹部２１における挿入溝２９に対応する下方に突出した形状の挿入部１４１を有している。
また、保持部材１１４は、貫通部２６の略下半部に対応する形状部の下部周囲に、裏面側凹部２７に対応する形状のフランジ部１１４ａを有している。
【００６７】
以上の部品において、バンド本体２に対し表面側から、飾り部材１０４を貫通部２６に填め込むと同時に、その挿入部１４１を挿入溝２９に挿入する。
また、バンド本体２の裏面側から、その貫通部２６に保持部材１１４を填め込むと同時に、そのフランジ部１１４ａを裏面側凹部２７に填め込む。
その後、飾り部材１０４と保持部材１１４の互いの密着面を超音波溶着により接合して固定する。
【００６８】
こうすれば、ともに硬質合成樹脂製の飾り部材１０４と保持部材１１４とで、貫通部２６の周囲において、バンド本体２を挟み込むことができ、飾り部材１０４と保持部材１１４とを一体化して、飾り部材１０４の安定した固定力を保持でき、バンド本体２の折り曲げやひねり等の力に対し強くできる。
【００６９】
＜第５の実施の形態例＞
図１５は本発明を適用した第５の実施の形態例を示すもので、時計バンドの半体の時計ケースに対する取付部を拡大して示した平面図であり、図１６はその部分の中央縦断側面図である。そして、図１７はバンド本体と飾り部材とを分解して組付方を示した斜視図である。
これらの図１５から図１７において、３１は時計バンド、３２は軟質合成樹脂製のバンド本体、３２ａは時計ケースに対する取付ボス、３２ｂは時計ケース側への取付部、３２ｃは取付ボス３２ａのねじ棒通し穴、３２１は首部、３２２は凹段面、３２３は貫通部、３２４は裏面側凹部、３２５は表面側連続部、３２６は補助貫通部、３２７は表面側凹部、３２８は係合片、３４は軟質合成樹脂製の飾り部材、３４１はループ状部、３４２は表面部、３４３は挿入部、３４４は裏面側薄肉部、３４５は表面側凹部、３４６は延長部（先端挿入部）、３４７は表面側フランジ部、３４８は係合溝である。
【００７０】
この実施の形態例では、図示のように、時計バンド３１を構成する軟質合成樹脂製のバンド本体３２は、図示しない時計ケース側への幅広の取付部３２ｂにおいて、ねじ棒通し穴３２ｃを有する端部の取付ボス３２ａの近傍を幅が細くて肉厚が薄くなった首部３２１と、この首部３２１から表面に連続する凹段面３２２と、この凹段面３２２に連続してバンド表裏方向に貫通する貫通部３２３とを形成している。
バンド本体３２には、さらに、貫通部３２３に連続する裏面側凹部３２４と、この裏面側凹部３２４の存在による表面側連続部３２５と、裏面側凹部３２４に連続してバンド表裏方向に貫通する補助貫通部３２６とを形成している。この補助貫通部３２６は、表面側凹部３２７の内方に開口しており、この表面側凹部３２７において、表面側連続部３２５と対向する部分が係合片３２８となっている。
【００７１】
そして、軟質合成樹脂製の飾り部材３４が用意され、この軟質合成樹脂製の飾り部材３４は、バンド本体３２の首部３２１が挿入されるループ状部３４１と、このループ状部３４１から連続する表面部３４２と、この表面部３４２から裏面側に連続する挿入部３４３とを形成している。この挿入部３４３は、バンド本体３２の貫通部３２３に対応する形状のものである。
さらに、飾り部材３４には、挿入部３４３に連続する裏面側薄肉部３４４と、この裏面側薄肉部３４４の存在による表面側凹部３４５と、裏面側薄肉部３４４から表面側に連続する延長部である先端挿入部３４６とを形成している。この先端挿入部３４６は、バンド本体３２の表面側凹部３２７に対応する表面側フランジ部３４７と、バンド本体３２の係合片３２８に対応する係合溝３４８とを有している。
【００７２】
以上の部品は、バンド本体３２の首部３２１を飾り部材３４のループ状部３４１に挿入してから、図１７に矢印を付して示したように、飾り部材３４の先端挿入部３４６を、バンド本体３２に対し表面側から貫通部３２３に挿入した後、裏面側から補助貫通部３２６に挿入する。
そして、この補助貫通部３２６において、その係合片３２８に係合溝３４８を填め合わせる。
以上により、軟質合成樹脂製のバンド本体３２に対する軟質合成樹脂製の飾り部材３４の組み付けが完了する。この組付完了状態で、図示のように、貫通部３２３に挿入部３４３が丁度納まるとともに、補助貫通部３２６上の表面側凹部３２７に表面側フランジ部３４７が丁度納まっている。
【００７３】
以上の通り、軟質合成樹脂製のバンド本体３２に対し軟質合成樹脂製の飾り部材３４を圧入方式をもって組み付けたことにより、バンド本体３２と飾り部材３４を異なる材料調色として、簡易に二色成形風の軟質合成樹脂製時計バンド３１が得られる。
また、飾り部材３４の挿入部３４３をバンド本体３２に対し表面側から貫通部３２３に挿入するだけでなく、先端挿入部３４６を裏面側から挿入する補助貫通部３２６において、その係合片３２８に係合溝３４８を填め合わせたことにより、飾り部材３４の隙間発生並びにめくれ上がりの防止が図られる。
【００７４】
＜第６の実施の形態例＞
図１８は本発明を適用した第６の実施の形態例を示すもので、時計バンドの半体の時計ケースに対する取付部を拡大して示した平面図であり、図１９はその部分の中央縦断側面図である。そして、図２０はバンド本体と飾り部材とを分解して組付方を示した斜視図である。
これらの図１８から図２０において、６１は時計バンド、６２は軟質合成樹脂製のバンド本体、６２ａは時計ケースに対する取付ボス、６２ｂは時計ケース側への取付部、６２ｃは取付ボス６２ａのねじ棒通し穴、６２１は首部、６２２は表面側凹部、６２３は貫通部、６２４は裏面側係合凹部、６４は軟質合成樹脂製の飾り部材、６４１はループ状部、６４２は表面側突出部、６４３は挿入部、６４４は係合片である。
【００７５】
この実施の形態例では、図示のように、時計バンド６１を構成する軟質合成樹脂製のバンド本体６２は、図示しない時計ケース側への幅広の取付部６２ｂにおいて、ねじ棒通し穴６２ｃを有する端部の取付ボス６２ａの近傍を幅が細くて肉厚が薄くなった首部６２１と、この首部６２１から連続する中央の表面側凹部６２２と、この表面側凹部６２２に連続してバンド表裏方向に貫通する貫通部６２３とを形成している。
バンド本体６２には、さらに、貫通部６２に連続して裏面側係合凹部６２４を形成している。
【００７６】
そして、軟質合成樹脂製の飾り部材６４は、バンド本体６２の首部６２１が挿入されるループ状部６４１と、このループ状部６４１から連続する中央の表面側突出部６４２と、この表面側突出部６４２から裏面側に連続する挿入部６４３とを形成している。
なお、表面側突出部６４２は、バンド本体６２の表面側凹部６２２と対応する形状のものである。また、挿入部６４３は、バンド本体６２の貫通部６２３に対応する形状のものである。
さらに、飾り部材６４は、その挿入部６４２の先端に、バンド本体６２の裏面側係合凹部６２４に対応する係合片６４４を有している。
【００７７】
以上の部品は、バンド本体６２の首部６２１を飾り部材６４のループ状部６４１に挿入してから、図２０に矢印を付して示したように、飾り部材６４の挿入部６４３を、バンド本体６２に対し表面側から貫通部６２３に挿入すると同時に、その裏面側係合凹部６２４に挿入部６４３先端の係合片６４４を填め合わせる。以上により、軟質合成樹脂製のバンド本体６２に対する軟質合成樹脂製の飾り部材６４の組み付けが完了する。この組付完了状態で、図示のように、貫通部６２３に挿入部６４３が丁度納まるとともに、貫通部６２３上の表面側凹部６２２に表面側突出部６４２が丁度納まっている。
【００７８】
以上の通り、軟質合成樹脂製のバンド本体６２に対し軟質合成樹脂製の飾り部材６４を圧入方式をもって組み付けたことにより、前述した第５の実施の形態例と同様に、バンド本体６２と飾り部材６４を異なる材料調色として、簡易に二色成形風の軟質合成樹脂製時計バンド６１が得られる。
また、飾り部材６４の挿入部６４３をバンド本体６２に対し表面側から貫通部６２３に挿入して、その裏面側係合凹部６２４に挿入部６４３先端の係合片６４４を填め合わせたことにより、前述した第５の実施の形態例と同様に、飾り部材６４の隙間発生並びにめくれ上がりの防止が図られる。
【００７９】
ところで、以上の第５及び第６の実施の形態例では、バンド本体３２，６２と飾り部材３４，６４を異なる材料調色として、簡易に二色成形風の軟質合成樹脂製時計バンド３１，６１を得るものとしたが、バンド本体と飾り部材の材料硬度を変えても良い。
このように、バンド本体と飾り部材の材料硬度を変えることにより、軟質合成樹脂製の時計バンドとして、腕への装着感向上、補強強度アップが得られる。
【００８０】
なお、以上の実施の各形態例においては、繊維を囲んで一体成形した軟質合成樹脂製のバンド本体としたが、本発明はこれに限定されるものではなく、単なる軟質合成樹脂製のバンド本体であっても良い。
また、各部品のデザイン等も任意であり、その他、具体的な細部構造等についても適宜に変更可能であることは勿論である。
【００８１】
【発明の実施の形態】
＜第７の実施の形態例＞
以下に、本発明に係る第７の実施の形態例を図２１から図２６に基づいて説明する。
図２１は本発明を適用した一例としての腕時計を示す正面図、図２２は図２１の矢印Ｂ−Ｂ線に沿った断面図、図２３は本体ケースに取付けられるバンド本体を示す図であり、このうち（Ａ）は平面図、（Ｂ）は裏側の平面図、（Ｃ）は（Ａ）の矢印ｃ方向から見た図、（Ｄ）は（Ａ）の矢印Ｄ−Ｄ線に沿って拡大した断面図、（Ｅ）は（Ａ）の要部拡大図である。図２４は飾り部材を示す図であり、このうち（Ａ）は平面図、（Ｂ）は（Ａ）の矢印Ｇ−Ｇ線に沿った断面図、（Ｃ）は（Ａ）を斜め下側から見上げた斜視図、（Ｄ）は裏側の平面図（一部省略）、（Ｅ）は（Ｂ）の矢印Ｈ方向から見た図、（Ｆ）は（Ｂ）の矢印Ｉ方向から見た図である。図２５は本体ケースに取付けられる他のバンド本体を示す図であり、このうち（Ａ）は平面図、（Ｂ）は裏側の平面図、（Ｃ）は（Ａ）の矢印Ｅ方向から見た拡大図、（Ｄ）は（Ａ）の矢印Ｆ−Ｆ線に沿って拡大した断面図である。図２６はバンド本体への飾り部材の取付けを示す斜視図である。
【００８２】
先ず、図２１および図２２に基づいて、腕時計２００の概略構成について説明する。図２１および図２２に示されるように、腕時計２００の本体ケース２０１の上部には開口部２０５が形成されており、この開口部２０５には時計ガラス２０６が固定されている。時計ガラス２０６および開口部２０５を介して腕時計２００の正面から視認可能な位置に、時刻等の情報を表示する表示部２５０が設けられている。本体ケース２０１の上面には、本体ケース２０１を正面側からの衝撃から保護するベゼル２０４が取付けられている。また、本体ケース２０１の裏側には、Ｏリング２４２を介して裏蓋２０７が取付けられ、本体ケース２０１の内部に収納された内部機器類（図示省略）が保護されている。
【００８３】
これら内部機器類には、表示部２５０に表示される情報を表示する液晶表示装置、液晶表示装置に表示される情報の情報処理等を行う回路基板、液晶表示装置のバックライトとして機能する発光パネル、これらおよび他の内部機器類に電力を供給する電池等が含まれる。
【００８４】
本体ケース２０１の上面には、発光パネルの発光等の各種操作を行うための押しボタン２０３，２０３が設けられている。これら、押しボタン２０３，２０３は、スイッチ部材２０２，２０２を介して本体ケース２０１に対して取付けられている。図２２に示されるように、これら押しボタン２０３，２０３の裏面側にはそれぞれスイッチ部材２０２，２０２の一端が埋設されており、これらスイッチ部材２０２，２０２の他端側は、本体ケース２０１を貫通して本体ケース２０１の内周側に臨んだ状態となっている。押しボタン２０３，２０３を押圧操作すると、スイッチ部材２０２，２０２の周囲に配設されたコイルスプリング等（図示省略）の弾性力に抗して押しボタン２０３，２０３が沈み込み、スイッチ部材２０２，２０２の他端側が本体ケース２０１の内部に設けられた図示しないスイッチ機構に作用して、所定の電気的信号が発生するようになっている。逆に、押しボタン２０３，２０３への押圧力を解除すると、コイルスプリングの弾性力により押しボタン２０３，２０３が元の位置に復帰する。
さらに、本体ケース２０１の側部は、押圧操作により時刻の設定等の各種操作を行うための押しボタン２５１，２５１，…が、押しボタン２０３，２０３と同様の機構により設けられている。
【００８５】
本体ケース２０１の一端にはバンド取付部２０８が形成されており、このバンド取付部２０８には、本発明に係るバンド２６０が取付けられている。
また、本体ケース２０１の他端にはバンド取付部２０９が形成されており、このバンド取付部２０９には、本発明に係るバンド２７０が取付けられている。
ここで、バンド２６０は、バンド本体２１０に本発明に係る飾り部材２３０を取り付けたものであり、バンド２７０はバンド本体２２０に飾り部材２３０を取り付けたものである。
腕時計２００は、以上のように概略構成されている。
【００８６】
本実施の形態例は、バンド２６０，２７０（バンド本体２１０，２２０、又は、バンド本体２１０，２２０および飾り部材２３０，２３０）により、本体ケース２０１の一部を覆うことにより、本体ケース２０１とバンド２６０，２７０との一体感を高め、腕時計２００のデザインを一体性のあるものにすることを主な目的とするものである。
【００８７】
以下に、本発明に係る主要な構成要素の詳細な構造について説明する。
先ず、本体ケース２０１のバンド取付部２０８の上部には、突出部２０１ａが形成されている。この突出部２０１ａは、バンド２６０を本体ケース２１０に取り付けた状態では、バンド本体２１０の後述する取付ボス２１１と、飾り部材２３０の後述する覆い部３１０とにより挟持されるとともに、腕時計２００の正面側からの外観では、覆い部３１０により覆われた状態となる部分である。
一方、本体ケース２０１のバンド取付部２０９の上部には、突出部２０１ａと同様の突出部２０１ｂが形成されている。
【００８８】
次ぎに、バンド本体２１０は、例えば、軟質合成樹脂等の可撓性の材質からなっており、図２３に示されるように、バンド本体２１０の一端側にはバンド本体２１０を本体ケース２０１に取付けるための取付ボス２１１が形成されている。取付ボス２１１には、取付ボス２１１を側方から貫通する取付孔２１２が形成されている。この取付孔２１２に、バネ棒２１３（図２２参照）を挿通して、本体ケース２０１にバンド本体２１０を取付けることができるようになっている。
また、取付ボス２１１の下側には、本体ケース２０１側に突出する覆い部２８１が形成されている。バンド本体２１０を本体ケース２０１に取り付けた状態では、この覆い部２８１が本体ケース２０１の裏側に取付けられた裏蓋２０７の一部を介して、本体ケース２０１の一部を下側から覆うようになっている。
【００８９】
さらに、バンド本体２１０には、取付ボス２１１に隣接して、バンド本体２１０に飾り部材２３０を取付けるための取付部２１４が形成されている。
この取付部２１４は、後に詳述する飾り部材２３０の肉厚の分だけバンド本体２１０の他の部分よりも薄く、かつ、細く設定されている。これは、取付部２１４に飾り部材２３０を外挿したときに、飾り部材２３０がバンド本体２１０，２２０に対してほぼ面一となるようにするためである。
この取付部２１４の表側には、飾り部材２３０をバンド本体２１０に対して位置決めするための凸部２９０が形成されている。一方、この凸部２９０に対応する取付部２１４の裏側には、凹部２９５が形成されており、凸部２９０が形成された部分の取付部２１４の厚みが他の部分と比べて厚くならないように設定されている。
【００９０】
また、バンド本体２１０の取付部２１４の表面側の、バンド本体２１０の長手方向における両端には、それぞれ段付部２１５，２１６，２１６が形成されている。取付部２１４の裏面側の、前記長手方向における両端には、それぞれ段付部２１７，２１８が形成されている。また、取付部２１４の側部には、段付部２１５および段付部２１７を連続的にする段付部２１９，２１９が形成されている。
これら段付部２１５，２１６，２１６，２１７，２１８，２１９は、バンド本体２１０に取付けられた飾り部材２３０をバンド本体２１０に対して位置決めして、飾り部材２３０のバンド本体２１０の長手方向におけるズレやガタツキを防止するためのものである。
【００９１】
バンド本体２１０の長手方向に沿っては、バンド本体２１０を表裏に貫通する止め穴４００，４００，…がそれぞれ位置を違えて形成されている。これら止め穴４００，４００，…は、後に詳述するバンド本体２２０に取付けられた後述するバックル５の止め具５ａを挿入するためのものである。
【００９２】
図２５に示されるように、バンド本体２２０は、バンド本体２１０と同様に軟質合成樹脂等の可撓性の材質からなっており、バンド本体２２０には、バンド本体２１０と同様に取付ボス２１１および取付部２１４が形成されている。これら取付ボス２１１および取付部２１４の構成要素はバンド本体２１０のものと同一であるので、同一の符号を付し、その説明を省略する。
バンド本体２２０は、その他の部分でバンド本体２１０と異なっており、バンド本体２１０の一端側には、例えば図１に示されるような止め具５ａを有するバックル５を取付けるための取付部２２１が形成されている。この取付部２２１には取付孔２２２が形成され、この取付孔２２２に対して、バックル５が取付けられている（取り付けた状態の図示は省略）。
また、バンド本体２２０には、図１に示されるようなループ６が外挿されている。
【００９３】
次ぎに、飾り部材２３０は、軟質合成樹脂等の可撓性の材質からなっている。また、飾り部材２３０は、弾性変形させつつ本体ケース２１０，２２０に対して外挿して取付けるものであるため、本体ケース２１０，２２０よりも容易に柔軟に撓ませることができるものであることが望ましい。さらに、飾り部材２３０は、バンド本体２１０，２２０と、色違いであることが望ましい。
【００９４】
図２４に示されるように、飾り部材２３０には本発明に係る覆い部３１０が形成されている。この覆い部３１０は、飾り部材２３０をバンド本体２１０，２２０に取り付けた状態で、バンド本体２１０，２２０を本体ケース２０１に対して取り付けたときに、本体ケース２０１に形成された突出部２０１ａ，２０１ｂを覆うものである。
【００９５】
また、飾り部材２３０には、飾り部材２３０をバンド本体２１０，２２０の取付部２１４に外挿して取付けるための取付孔２３１が形成されている。
飾り部材２３０の表面側には、バンド本体２１０，２２０の取付部２１４の凸部２９０が嵌入されることで、飾り部材２３０をバンド本体２１０，２２０に対して位置決めするための取付孔部（孔部）３００が形成されている。ここで、凸部２９０を取付孔部３００に嵌入した状態では、飾り部材２３０の表面側の取付孔部３００の周囲の部分と、凸部２９０の上面が、ほぼ面一となるように設定されている。
【００９６】
飾り部材２３０をバンド本体２１０，２２０の取付部２１４に取り付けたときに、バンド本体２１０，２２０の長手方向における端面となる部分のうち、端面２３５はバンド本体２１０，２２０の取付部２１４の段付部２１５に当接するようになっている。同様に、端面２３６，２３６は段付部２１６，２１６と当接し、端面２３７は段付部２１７と当接し、端面２３８は段付部２１８と当接し、端面２３９は段付部２１９と当接するようになっている。ただし、ここで、各端面２３５，２３６，２３６，２３７，２３８，２３９と、段付部２１５，２１６，２１６，２１７，２１８，２１９とが当接すると表現したが、実際は、わずかな間隙（遊び）が生じていてもよい。
【００９７】
また、飾り部材２３０をバンド本体２１０，２２０の取付部２１４に取り付けたときには、飾り部材２３０がバンド本体２１０，２２０に対してほぼ面一となるように、飾り部材２３０の肉厚が設定されている。よって、取付部２１４に飾り部材２３０を外挿したときに、飾り部材２３０がバンド本体２１０，２２０に対してほぼ面一となるようになっている。
このように、飾り部材２３０は、バンド本体２１０，２２０の取付部２１４に対して、フィットした状態で取付けることができるようになっている。
【００９８】
このような飾り部材２３０の、上記のようなバンド本体２１０への取付けは、以下のようにして行う。
図２６に示されるように、バンド本体２１０の一端側から同図の矢印の方向に飾り部材２３０の取付孔２３１を外挿し、飾り部材２３０を弾性変形させながらバンド本体２１０の凸部２９０を飾り部材２３０の取付孔部３００に嵌入させる。これにより、凸部２９０と取付孔部３００との嵌合によって飾り部材２３０がバンド本体２１０に対して位置決めされる。
【００９９】
また、この状態では、飾り部材２３０の端面２３５はバンド本体２１０，２２０の取付部２１４の段付部２１５に当接し、端面２３６，２３６は段付部２１６，２１６に当接し、端面２３７は段付部２１７に当接し、端面２３８は段付部２１８に当接し、端面２３９は段付部２１９と当接する。従って、これら端面２３５，２３６，２３６，２３７，２３８，２３９と、段付部２１５，２１６，２１６，２１７，２１８，２１９との当接によっても、飾り部材２３０がバンド本体２１０に対して位置決めされる。
【０１００】
さらに、バンド本体２１０の取付部２１４が、飾り部材２３０の肉厚の分だけ薄く、かつ、細く設定されており、しかも、飾り部材２３０の表面側の取付孔部３００の周囲の部分と、バンド本体２１０の凸部２９０の上面とが、ほぼ面一となるように設定されているので、飾り部材２３０がバンド本体２１０に対してほぼ面一となる。
【０１０１】
バンド本体２２０に対する飾り部材２３０の取付も同様であり、同様に飾り部材２３０がバンド本体２２０に対して位置決めされ、同様に飾り部材２３０がバンド本体２２０に対してほぼ面一となる。
【０１０２】
次ぎに、バンド本体２１０，２２０（バンド２６０，２７０）の本体ケース２０１に対する取付けについて説明する。
先ず、上記のように飾り部材２３０が取付けられたバンド本体２１０の取付ボス２１１の取付孔２１２にバネ棒２１３を挿通し、このバネ棒２１３を支点としてバンド本体２１０が回動自在な状態で、バンド本体２１０（バンド２６０）を本体ケース２０１のバンド取付部２０８に取付ける。
この状態において、本体ケース２０１の突出部２０１ａは飾り部材２３０の覆い部３１０により覆われるとともに、本体ケース２０１の裏側に取付けられた裏蓋２０７の端部を介して、本体ケース２０１の一部がバンド本体の取付ボス２１１の下側に形成された覆い部２８１により覆われる。
【０１０３】
バンド本体２２０（バンド２７０）の本体ケース２０１のバンド取付部２０９に対する取付けも同様であり、バンド本体２２０をバンド取付部２０９に取り付けた状態において本体ケース２０１の突出部２０１ｂが飾り部材２３０の覆い部３１０により覆われるとともに、本体ケース２０１の裏側に取付けられた裏蓋２０７の端部が、バンド本体の取付ボス２１１の下側に形成された覆い部２８１により覆われる。
【０１０４】
従って、バンド本体２１０，２２０（バンド２６０，２７０）の本体ケース２０１に対する取り付け部分に生じる間隙を飾り部材２３０の覆い部３１０、および、バンド本体２１０，２２０の取付ボス２１１の下側に形成された覆い部２８１，２８１によって覆い隠すことができる。
【０１０５】
また、バンド本体２１０，２２０（バンド２６０，２７０）を本体ケース２０１に対して取り付けた状態においては、図２に示されるように、飾り部材２３０，２３０の覆い部３１０，３１０、および、バンド本体２１０，２２０の覆い部２８１，２８１が、これら覆い部３１０，３１０，２８１，２８１の周囲の部分とほぼ面一となる。
【０１０６】
以上のような構成の第７の実施の形態例によれば、バンド本体２１０，２２０（バンド２６０，２７０）の本体ケースに対する取り付け部分に生じる間隙を飾り部材２３０の覆い部３１０、および、バンド本体２１０，２２０の取付ボス２１１の下側に形成された覆い部２８１，２８１によって覆い隠すことができる。
よって、本体ケース２０１とバンド２６０，２７０との繋ぎ目を意識させず、本体ケース２０１とバンド２６０，２７０との一体性が高いデザインの腕時計２００（リスト装置）とすることができ、腕時計２００の一体感を得ることができる。
さらに、バンド本体２１０，２２０には飾り部材２３０，２３０が取り付けられているため、飾り部材２３０，２３０によりバンド本体２１０，２２０を装飾することができる。
【０１０７】
また、バンド本体２１０，２２０の取付部２１４が、飾り部材２３０，２３０の肉厚の分だけ薄く、かつ、細く設定されており、しかも、飾り部材２３０，２３０の表面側の取付孔部３００，３００の周囲の部分と、バンド本体２１０，２２０の凸部２９０，２９０の上面が、ほぼ面一となるように設定されていることにより、飾り部材２３０，２３０がバンド本体２１０．２２０に対してほぼ面一となっている。
よって、飾り部材２３０，２３０のバンド本体に対する一体感を増すことができ、腕時計２００を、より一体性の高いデザインとすることができるとともに、飾り部材２３０，２３０をバンド本体２１０，２２０に対してフィットさせることができ、飾り部材２３０，２３０のバンド本体２１０，２２０に対するめくれを防止することができる。
【０１０８】
さらに、飾り部材２３０，２３０に形成された取付孔部（孔部）３００に、バンド本体２１０，２２０の取付部２１４，２１４に形成された凸部２９０，２９０を嵌入させることで、飾り部材２３０，２３０がバンド本体２１０，２２０に対して位置決めされているので、飾り部材２３０，２３０のバンド本体２１０，２２０に対するズレやガタツキを好適に防止することができる。
【０１０９】
加えて、バンド本体２１０，２２０の取付部２１４，２１４の凸部２９０に対応する部分の裏側には、凹部２９５，２９５が形成されており、凸部２９０，２９０が形成された部分の取付部２１４，２１４の厚みが他の部分と比べて極端に厚くならないように設定されているので、バンド本体２１０，２２０に飾り部材２３０，２３０を取り付けた状態での、バンド本体２１０，２２０の凸部２９０，２９０に対応する部分の撓み易さを、該部分の周辺の撓み易さと略同一にできる。
従って、違和感なくバンド２６０，２７０により腕時計２００を手首に装着することができ、バンド２６０，２７０による腕時計２００の装着感を快適なものにすることができる。
【０１１０】
また、バンド本体２１０，２２０と飾り部材２３０，２３０との色を異なるものとすることによって、バンド本体２１０，２２０と飾り部材２３０，２３０とが２色成型されたようなデザインとすることができる。
【０１１１】
さらに、飾り部２３０，２３０の覆い部３１０，３１０、およびバンド本体２１０，２２０の取付ボス２１１，２１１の覆い部２８１，２８１が、これら各覆い部３１０，３１０，２８１，２８１の周囲の部分と、ほぼ面一となっているので、覆い部３１０，３１０，２８１，２８１と、覆い部３１０，３１０，２８１，２８１の周囲の部分との境界を意識させないデザインとすることができる。従って、バンド本体２１０，２２０（バンド２６０，２７０）と本体ケース２０１との一体性を、より高めることができ、腕時計２００の、より高い一体感を得ることができる。
【０１１２】
なお、上記の第７の実施の形態例では、リスト装置として、腕時計を例示して説明したが、リスト装置としては、その他でも、コンパス、水深計などのバンドを備え、手首に装着して用いる装置であればよい。
また、バンド本体２１０，２２０に飾り部材２３０，２３０を取付ける例を示したが、飾り部材は必ずしも必要ではなく、飾り部材を用いない場合には、バンド本体に覆い部を形成し、この覆い部により本体ケースの一部を覆う構成とすればよい。
さらに、本体ケース２０１に突出部２０１ａ，２０１ｂを形成し、これら突出部２０１ａ，２０１ｂをバンド本体２１０，２２０の取付ボス２１１，２１１と飾り部材２３０，２３０の覆い部３１０，３１０との間に介在させることとしたが、これら突出部２０１ａ，２０１ｂは必ずしも必要なものではない。
また、バンド本体２１０，２２０の凸部２９０を飾り部材２３０の取付孔部３００に嵌入させるタイプとしたが、飾り部材２３０に凹部を形成して、この凹部に嵌入させても良い。
加えて、飾り部材２３０，２３０を、バンド本体２１０，２２０の胴回りに対して外挿することにより、飾り部材２３０，２３０をバンド本体２１０，２２０に取付ける例を示したが、飾り部材としては、バンド本体に対して接着、あるいは溶着等により取付けるものとしても良い。この場合、飾り部材およびバンド本体の具体的な形状は適宜変更するものとする。
また、その他、具体的な細部構造等についても適宜に変更可能であることは勿論である。
【０１１３】
【発明の効果】
以上のように、請求項１記載の発明に係るバンドによれば、バンド本体に飾り部材の一対の挿入片を貫通して、その一対の挿入片間にバンド裏面側の凹部で棒部材を掛け渡したため、比較的簡易な構造をもって、バンド本体に飾り部材を確実に組み付けることができる。こうして、バンド本体と飾り部材とを、メタルインサート成形によらずに確実な組付状態に保持することができ、従って、バンドとして見栄えを良くすることができる。
請求項１記載の発明に係るバンドによれば、そればかりでなく、バンド裏面側の凹部内の棒部材の少なくとも一部を覆い部材により隠すことができるといった利点が得られる。
【０１１９】
また、請求項２記載の発明に係るバンドによれば、バンド本体の貫通穴に対し飾り部材を挿入して一端部と他端部で係合したため、比較的簡易な構造をもって、バンド本体に飾り部材を確実に組み付けることができる。こうして、バンド本体に飾り部材を備えながら、例えば、隙間やめくれ上がりのない二色成形風のような一体感を得ることができ、従って、バンドとして見栄えを良くすることができる。
【０１２０】
請求項２記載の発明に係るバンドによれば、そればかりでなく、バンド本体の貫通部とは別な位置の補助貫通部において飾り部材の他端側の係合部を係合したため、飾り部材の隙間発生やめくれ上がりを確実に防止することができるといった利点が得られる。
【０１２１】
請求項３記載の発明に係るバンドによれば、バンド本体の貫通部のバンド裏面側の係合凹部又は係合凸部において、貫通部にバンド表面側から挿入した飾り部材の係合部を係合したため、飾り部材の隙間発生やめくれ上がりを確実に防止することができるといった利点が得られる。
【０１２２】
請求項４記載の発明に係るリスト装置によれば、本体ケースの一部が、バンドに形成された覆い部によって覆われているので、本体ケースとバンドとの繋ぎ目を意識させず、本体ケースとバンドとの一体性が高いデザインのリスト装置とすることができ、リスト装置の一体感を得ることができる。
【０１２３】
請求項５記載の発明に係るリスト装置によれば、バンド本体には飾り部材が取り付けられているため、飾り部材によりバンド本体を装飾することができるとともに、この飾り部材に形成された覆い部が本体ケースの一部を覆っているので、本体ケースとバンド本体との繋ぎ目を意識させず、本体ケースとバンド本体との一体性が高いデザインのリスト装置とすることができる。よって、リスト装置の一体感を得ることができる。
【０１２４】
請求項６記載の発明に係るリスト装置によれば、前記飾り部材は、前記バンド本体に対してほぼ面一となっているので、飾り部材のバンド本体に対する一体感を増すことができる。
【０１２５】
請求項７記載の発明に係るリスト装置によれば、バンド本体に形成された凸部を飾り部材に形成された凹部又は孔部に嵌入することで、飾り部材がバンド本体に対して位置決めされているので、飾り部材のバンド本体に対するズレやガタツキを好適に防止することができる。
【０１２６】
請求項８記載の発明に係るリスト装置によれば、バンド本体に飾り部材を取り付けた状態での、バンド本体の凸部に対応する部分の撓み易さを、該部分の周辺の撓み易さと略同一に設定したので、バンドによるリスト装置の装着感を快適なものにすることができる。
【０１２７】
請求項９記載の発明に係るリスト装置によれば、バンド本体と飾り部材との色が異なるので、バンド本体と飾り部材とが２色成型されたようなデザインとすることができる。
【０１２８】
請求項１０記載の発明に係るリスト装置によれば、覆い部が、覆い部の周囲の部分とほぼ面一となっているので、覆い部と、覆い部の周囲の部分との境界を意識させないデザインとすることができる。従って、バンド又はバンド本体と本体ケースとの一体性を、より高めることができ、リスト装置の、より高い一体感を得ることができる。
【図面の簡単な説明】
【図１】本発明を適用した一例としての時計バンドの半体を示す平面図である。
【図２】図１の時計バンドの半体と組み合わされる他の半体を示した平面図である。
【図３】本発明を適用した第１の実施の形態例を示すもので、図１及び図２の矢印Ａ−Ａ線に沿って拡大して示した断面図である。
【図４】図３の構造部の部品を分解して示した斜視図である。
【図５】棒部材（バネ棒）の内部構造を示した中央断面図である。
【図６】棒部材及び覆い部材の変形例を示した斜視図である。
【図７】本発明を適用した第２の実施の形態例を示すもので、図１及び図２の矢印Ａ−Ａ線に沿って拡大して示した断面図である。
【図８】図７の構造部の部品を分解して示した斜視図である。
【図９】本発明を適用した第３の実施の形態例を示すもので、図１及び図２の矢印Ａ−Ａ線に沿って拡大して示した断面図である。
【図１０】図９の構造部の部品を分解して示した斜視図である。
【図１１】本発明を適用した第４の実施の形態例を示すもので、図１及び図２の矢印Ａ−Ａ線に沿って拡大して示した断面図である。
【図１２】図１１の構造部の部品を分解して示した斜視図である。
【図１３】図１１の構造部の変形例（１）を示した断面図である。
【図１４】図１１の構造部の変形例（１）を示した断面図である。
【図１５】本発明を適用した第５の実施の形態例を示すもので、時計バンドの半体の時計ケースに対する取付部を拡大して示した平面図である。
【図１６】図１５の部分の中央縦断側面図である。
【図１７】バンド本体と飾り部材とを分解して組付方を示した斜視図である。
【図１８】本発明を適用した第６の実施の形態例を示すもので、時計バンドの半体の時計ケースに対する取付部を拡大して示した平面図である。
【図１９】図１８の部分の中央縦断側面図である。
【図２０】バンド本体と飾り部材とを分解して組付方を示した斜視図である。
【図２１】本発明を適用した一例としての腕時計を示す正面図である。
【図２２】図２１の矢印Ｂ−Ｂ線に沿った断面図である。
【図２３】本体ケースに取付けられるバンド本体を示す図であり、このうち（Ａ）は平面図、（Ｂ）は裏側の平面図、（Ｃ）は（Ａ）の矢印ｃ方向から見た図、（Ｄ）は（Ａ）の矢印Ｄ−Ｄ線に沿って拡大した断面図、（Ｅ）は（Ａ）の要部拡大図である。
【図２４】飾り部材を示す図であり、このうち（Ａ）は平面図、（Ｂ）は（Ａ）の矢印Ｇ−Ｇ線に沿った断面図、（Ｃ）は（Ａ）を斜め下側から見上げた斜視図、（Ｄ）は裏側の平面図（一部省略）、（Ｅ）は（Ｂ）の矢印Ｈ方向から見た図、（Ｆ）は（Ｂ）の矢印Ｉ方向から見た図である。
【図２５】本体ケースに取付けられる他のバンド本体を示す図であり、このうち（Ａ）は平面図、（Ｂ）は裏側の平面図、（Ｃ）は（Ａ）の矢印Ｅ方向から見た拡大図、（Ｄ）は（Ａ）の矢印Ｆ−Ｆ線に沿って拡大した断面図である。
【図２６】バンド本体への飾り部材の取付けを示す斜視図である。
【符号の説明】
１  バンド
２  軟質合成樹脂製のバンド本体
２ａ  時計ケース側への取付部
２１  表面側凹部
２２  周縁挿入溝
２３  一対の挿入部（一対の挿入孔）
２４  細長い裏面側凹部
２５  隔壁部
２６  貫通部
２７  方形の裏面側凹部
２８  内方挿入溝
２９  挿入溝
４  金属製の飾り部材
４１  周縁部
４２  一対の挿入片
４３  小穴
８  棒部材
８ａ  突部
９  覆い部材
９ａ  貫通部
１０  覆い部材
１０ａ  端部屈曲片
１０ｂ  係合部（切欠リング状部）
１１  覆い部材
１１ａ  スリット
１２  両面接着テープ
１３  保持部材
１３ａ  フランジ部
１４  裏面側部材
１４ａ  フランジ部
１５  表面側部材
１５ａ  周縁部
１０４  硬質合成樹脂製の飾り部材
１４１  挿入部
１１４  硬質合成樹脂製の保持部材
１１４ａ  フランジ部
３１  バンド
３２  軟質合成樹脂製のバンド本体
３２ｂ  時計ケース側への取付部
３２１  首部
３２２  凹段面
３２３  貫通部
３２４  裏面側凹部
３２５  表面側連続部
３２６  補助貫通部
３２７  表面側凹部
３２８  係合片
３４  軟質合成樹脂製の飾り部材
３４１  ループ状部
３４２  表面部
３４３  挿入部
３４４  裏面側薄肉部
３４５  表面側凹部
３４６  延長部（先端挿入部）
３４７  表面側フランジ部
３４８  係合溝
６１  バンド
６２  軟質合成樹脂製のバンド本体
６２ｂ  時計ケース側への取付部
６２１  首部
６２２  表面側凹部
６２３  貫通部
６２４  裏面側係合凹部
６４  軟質合成樹脂製の飾り部材
６４１  ループ状部
６４２  表面側突出部
６４３  挿入部
６４４  係合片
２００  リスト装置（腕時計）
２０１  本体ケース
２０７  裏蓋
２１０  バンド本体
２２０  バンド本体
２３０  飾り部材
２３１  取付孔
２６０  バンド
２７０  バンド
２８１  覆い部
２９０  凸部
２９５  凹部
３００  孔部（取付孔部）
３１０  覆い部
【図１】
0003931459.tif 000002
【図２】
0003931459.tif 000003
【図３】
0003931459.tif 000004
【図４】
0003931459.tif 000005
【図５】
0003931459.tif 000006
【図６】
0003931459.tif 000007
【図７】
0003931459.tif 000008
【図８】
0003931459.tif 000009
【図９】
0003931459.tif 000010
【図１０】
0003931459.tif 000011
【図１１】
0003931459.tif 000012
【図１２】
0003931459.tif 000013
【図１３】
0003931459.tif 000014
【図１４】
0003931459.tif 000015
【図１５】
0003931459.tif 000016
【図１６】
0003931459.tif 000017
【図１７】
0003931459.tif 000018
【図１８】
0003931459.tif 000019
【図１９】
0003931459.tif 000020
【図２０】
0003931459.tif 000021
【図２１】
0003931459.tif 000022
【図２２】
0003931459.tif 000023
【図２３】
0003931459.tif 000024
【図２４】
0003931459.tif 000025
【図２５】
0003931459.tif 000026
【図２６】
0003931459.tif 000027